(57)【要約】  本発明は、ターボシャフトエンジンと、パイロンと、このパイロンとエンジンとの間に配された複数のエンジンマウントとを備えた航空機用エンジンユニットに関する。本発明によれば複数のエンジンマウントは、ターボシャフトエンジンの横方向軸線(Y)に沿って加わる応力のみを受けるよう構成されたマウント(6a)を具備してなる。当該マウント(6a)は、垂直軸線(Z)に沿って互いに平行に配置された二つの回転シャフト(48)によって、パイロンに対して堅固に連結された第1のフィッティング(40)に対して組み付けられた中間フィッティング(46)と、前後方向軸線(X)に沿って配置されると共に上記中間フィッティングに対して堅固に連結されたスラグ(56)とを具備してなる。当該スラグは、軸線Xに沿った遊びが存在するよう第2のフィッティング(58)に対して取り付けられており、この第2のフィッティングはターボシャフトエンジンに対して連結されている。
2008509318.tif 000002
【特許請求の範囲】
【請求項１】
ジェットエンジン(２)と、エンジンマウント用パイロン(４)と、前記エンジンマウント用パイロン(４)と前記ジェットエンジン(２)との間に介在させられた複数のエンジンマウント(６ａ,６ｂ,８)と、を具備してなる航空機用エンジンアセンブリ(１)であって、
前記複数のエンジンマウント(６ａ,６ｂ,８)は、前記ジェットエンジン(２)と交差する横方向(Ｙ)に沿って作用する力に専ら抗するよう構成されたエンジンマウント(６ａ)を具備してなり、
前記エンジンマウント(６ａ)は、
前記ジェットエンジン(２)の垂直方向(Ｚ)に沿って平行に配置された二つの回転軸(４８)によって、前記エンジンマウント用パイロン(４)に対して取り付けられた第１の取り付け部材(４０)に対して組み付けられた中間取り付け部材(４６)と、
前記ジェットエンジン(２)の前後方向(Ｘ)に沿って配置されかつ前記中間取り付け部材(４６)に対して取り付けられたピン(５６)と、を具備してなり、
前記ピン(５６)は、前記ジェットエンジン(２)に対して取り付けられた第２の取り付け部材(５８)に対して、前後方向(Ｘ)に沿った間隙が存在する状態で取り付けられていることを特徴とする航空機用エンジンアセンブリ(１)。
【請求項２】
横方向(Ｙ)に沿って作用する力にのみ抗するよう構成された前記エンジンマウント(６ａ)は、
第一には、前記エンジンマウント用パイロン(４)の剛構造体(１０)の前部に対して、
第二には、前記ジェットエンジン(２)のファンケーシング(１２)の環状周縁部(１８)に対して取り付けられていることを特徴とする請求項１に記載の航空機用アセンブリ(１)。
【請求項３】
前記ジェットエンジン(２)の前後方向軸線(５)および前記ジェットエンジンの垂直方向(Ｚ)によって規定される面は、横方向(Ｙ)に沿って作用する力にのみ抗するよう構成された前記エンジンマウント(６ａ)に関して、対称面をなしていることを特徴とする請求項１または請求項２に記載の航空機用アセンブリ(１)。
【請求項４】
単に横方向(Ｙ)に沿って作用する力にのみ抗するよう構成された前記エンジンマウント(６ａ)は第１の前部エンジンマウントを形成し、かつ前記複数のエンジンマウント(６ａ,６ｂ,８)は、横方向(Ｙ)に沿って作用する力に抗するよう構成された第２の前部エンジンマウント(６ｂ)を具備してなり、二つの前記前部エンジンマウント(６ａ,６ｂ)は、前記ジェットエンジン(２)の垂直方向(Ｚ)に互いにオフセットした状態で配置されていることを特徴とする請求項１ないし請求項３のいずれか１項に記載の航空機用アセンブリ(１)。
【請求項５】
前記第２の前部エンジンマウント(６ｂ)は、前記ジェットエンジン(２)の中央ケーシング(１６)に対して取り付けられており、かつ横方向(Ｙ)および垂直方向(Ｚ)に沿って作用する力にのみ抗するよう構成されていることを特徴とする請求項４に記載の航空機用アセンブリ(１)。
【請求項６】
複数の前記エンジンマウント(６ａ,６ｂ,８)はさらに、前後方向(Ｘ)、横方向(Ｙ)および垂直方向(Ｚ)に沿って作用する力に抗するよう構成された後部エンジンマウント(８)を具備してなることを特徴とする請求項１ないし請求項５のいずれか１項に記載の航空機用アセンブリ(１)。
【請求項７】
請求項１ないし請求項６のいずれか１項に記載のエンジンアセンブリ(１)を少なくとも一つ具備してなることを特徴とする航空機。
【発明の詳細な説明】
【技術分野】
【０００１】
本発明は、概して、たとえばターボジェットのようなターボエンジンと、エンジンマウント用パイロンと、このエンジンマウント用パイロンとジェットエンジンとの間に介在させられた複数のエンジンマウントとを具備してなるタイプの航空機用エンジンアセンブリに関する。
【背景技術】
【０００２】
こうしたエンジンアセンブリ用のエンジンマウント用パイロンは、公知の様式で、ジェットエンジンと、当該アセンブリを装備する航空機の翼との間に接続インタフェースを形成するよう設計されている。このパイロンは、航空機のエンジンによって生じる力を航空機の構造体に伝達することができ、しかもエンジンと航空機との間の燃料、電気、油圧、空気圧システムの配管のために使用される。
【０００３】
パイロンは、力を伝達するために、剛構造体、たとえば「枠体(box)」型構造体を備える。すなわち、横断リブによって互いに連結された桁材および側面パネルのアセンブリから形成された構造体を備える。
【０００４】
アセンブリシステムはエンジンとパイロンの剛構造体との間に介在させられるが、このシステムは概して、通常は、エンジンファンケーシングに固定された前部エンジンマウント(マウント群)および同エンジンの中央ケーシングに固定された後部エンジンマウント(マウント群)に分類される複数のエンジンマウントを具備してなる。
【０００５】
さらに、上記アセンブリシステムは、エンジンによって生じるスラスト力に抗するための機構を具備してなる。従来、この機構は、第一にエンジンファンケーシングの後部に対して、そして第二にパイロンの剛構造体に取り付けられたエンジンマウント(たとえば後部エンジンマウント)に対して連結された、たとえば二つの横方向ロッドの形態であった。
【０００６】
参考までに言うと、エンジンマウント用パイロンは、当該パイロンと航空機の翼との間に介在させられた第２のアセンブリシステムと関連付けられ、この第２のシステムは通常は二つまたは三つのエンジンマウントからなることに留意されたい。
【０００７】
最後に、上記パイロンは、システムの隔離および支持のための、そして一方では空力フェアリングを支持する補助構造体を備える。
【０００８】
従来技術による一般的な形態では、ジェットエンジンからエンジンマウント用パイロンの剛構造体へ伝達される全ての力およびモーメントに申し分なく抗するためのエンジンマウントの構造は、たいてい複雑であり、しかもコストがかかる。
【発明の開示】
【発明が解決しようとする課題】
【０００９】
それゆえ本発明の目的は、従来技術による形態に関連して先に説明した欠点を少なくとも部分的に克服する航空機用アセンブリを提案すると共に、少なくともそうしたアセンブリを備えた航空機を提供することである。
【課題を解決するための手段】
【００１０】
これを達成するために、本発明の目的は、ジェットエンジン(ターボジェット)と、エンジンマウント用パイロンと、このエンジンマウント用パイロンとジェットエンジンとの間に介在させられた複数のエンジンマウントとを具備してなる航空機用エンジンアセンブリである。本発明によれば、複数のエンジンマウントは、ジェットエンジンを横断する方向(横方向)に沿って作用する力に専ら抗するよう構成されたエンジンマウントを具備してなり、このエンジンマウントは、ジェットエンジンの垂直方向に沿って平行に配置された二つの回転軸によって、エンジンマウント用パイロンに対して取り付けられた第１の取り付け部材に対して組み付けられた中間取り付け部材と、ジェットエンジンの前後方向に沿って配置されかつ中間取り付け部材に対して取り付けられたピンとを具備してなり、このピンは、ジェットエンジンに対して取り付けられた第２の取り付け部材に対して、前後方向に沿った間隙が存在する状態で取り付けられている。
【００１１】
有利なことを言うと、本発明によるエンジンアセンブリは、簡素かつ安価な構造を備えたエンジンマウント(好ましくは前部エンジンマウント)を具備してなると共に、それは横方向に沿って作用する力にのみ抗する。
【００１２】
前後方向に沿った間隙が存在する「モノボール」型接続部と、垂直方向に沿って配置されてなると共に二つの対応する回転軸を用いて得られた二つの回転式接続部との組み合わせによって、簡単な構造を持つこのエンジンマウントが、ジェットエンジンの横方向に沿って作用する力にのみ抗することが可能となる。以下でさらに詳しく説明するように、前部エンジンマウントを用いて、横方向に沿って作用する力に抗するという事実によって、全てのエンジンマウントの構造およびサイジングを、かなりの程度簡素化することができる。
【００１３】
この点に関して、横方向に沿って作用する力にのみ抗するよう構成されたエンジンマウントは、好ましくは、第一に、エンジンマウント用パイロンの剛構造体の前部に対して、そして第二に、ジェットエンジンのファンケーシングの環状周縁部に対して取り付けられる。
【００１４】
さらに、ジェットエンジンの前後方向(長さ方向)軸線およびジェットエンジンの垂直方向によって規定される平面は、横方向に沿って作用する力にのみ抗するよう構成された上記エンジンマウントに関して対称面を形成している。
【００１５】
好ましくは、横方向に沿って作用する力にのみ単に抗するよう構成されたエンジンマウントは第１の前部エンジンマウントを形成し、そして複数のエンジンマウントはまた、やはり横方向に沿って作用する力に抗するよう構成された第２の前部エンジンマウントを具備してなる。この場合、二つの前部エンジンマウントは、ジェットエンジンの垂直方向に互いにオフセットした状態で配置される。
【００１６】
すなわち本エンジンアセンブリは、ジェットエンジンの前後方向周りに作用するモーメントには、高さ方向にオフセットした状態であってかつ横方向に沿って作用する力に抗することができる前部エンジンマウント群が抗するよう構成される。
【００１７】
だが前部エンジンマウントは、ジェットエンジンのファンケーシングまたは中央ケーシングに対して普通に取り付けることができるので、たとえば、その一方をファンケーシングに、そして他方を中央ケーシングに取り付けることによって、両者を垂直方向に互いに十分離間するよう移動させることは明らかに可能である。
【００１８】
上述したように、この際立った分離は次のような利点を有する。すなわち、これによって、前後方向周りのモーメントに関連して、それが抗する必要がある力は、従来技術による一般的な解決策(この解決策では中央ケーシングに対して取り付けられた二つの後部エンジンマウントが上記モーメントに抗するが、これらのマウントは明らかに互いに大きく離間させることはできない)において見られる通常の力よりも当然ながら低いという事実に起因して、エンジンマウントの構造がかなりの程度簡素化される。
【００１９】
二つの前部エンジンマウントはいずれも、本発明の範囲から逸脱することなく、異なる高さでファンケーシングに配置できることに留意されたい。
【００２０】
また、前後方向周りに作用するモーメントに抗するようジェットエンジンの垂直方向に互いにオフセットした状態で二つの前部エンジンマウントが配置される場合、それらはまた、前後方向に沿ってかつ／または横方向に沿って互いにオフセットした状態となっていてもよいことに留意されたい。
【００２１】
好ましくは、第２の前部エンジンマウントはジェットエンジンの中央ケーシングに対して取り付けられ、かつそれは横方向および垂直方向に沿って作用する力にのみ抗するよう構成される。この好ましい形態(ここでは簡単な構造の第１の前部エンジンマウントがファンケーシングの環状周縁部に取り付けられかつ前部エンジンマウントは中央ケーシングに対して取り付けられる)では、これまで見られた、そしてエンジンマウント用パイロンの剛構造体の幅に制限されていた値に比べて、垂直方向に沿って二つの前部エンジンマウント同士を極めて遠く離間させることが全く容易に行える。
【００２２】
さらに、上記複数のエンジンマウントはまた、前後方向、横方向、そして垂直方向に沿って作用する力に抗するよう構成された後部エンジンマウントを具備していてもよい。
【００２３】
好ましくは、ジェットエンジンの前後方向軸線およびジェットエンジンの垂直方向によって規定される平面は、複数のエンジンマウントのそれぞれを通る。ゆえに、上記平面上に全てのエンジンマウントを集中させたこと、したがって横方向にはエンジンマウントを互いに離間させていないことによって、横方向に沿ったエンジンマウント用パイロンの幅を著しく小さくできることは明らかである。それゆえ、この注目される幅の減少によって、有利なことには、エンジンマウント用パイロンによって生じる環状ファンダクト内でのファン流の乱れを低減することができる。
【００２４】
本発明のその他の目的は、上述したようなエンジンアセンブリを少なくとも一つ具備してなる航空機である。
【００２５】
本発明のその他の利点ならびに特徴は、以下の詳細な非限定的説明から明らかとなるであろう。
【発明を実施するための最良の形態】
【００２６】
以下、図面を参照して説明する。
【００２７】
図１には本発明の好ましい実施形態による航空機用エンジンアセンブリ１を示すが、このアセンブリ１は航空機の翼(図示せず)の下に取り付けられるよう設計されたものである。
【００２８】
概して、エンジンアセンブリ１は、以下の説明ではターボジェット２と見なされるジェットエンジン(ターボジェット)２と、エンジンマウント用パイロン４と、このパイロン４の下方にジェットエンジン２を取り付ける(固定する)複数のエンジンマウント６ａ,６ｂ,８とを具備してなる。参考までに、アセンブリ１はナセル(図示せず)によって取り囲まれることになり、かつエンジンマウント用パイロン４は航空機の翼の下に当該アセンブリ１を吊り下げるための他の一連のパイロンマウント(図示せず)を具備してなることに留意されたい。
【００２９】
慣習に従い、以下の説明では、ジェットエンジン２の前後方向軸線５と平行な当該ジェットエンジンの前後方向(長さ方向)をＸで示し、当該ジェットエンジン２の横方向(左右方向)をＹで示し、そして垂直すなわち高さ方向をＺで示すが、これら三つの方向は互いに直交している。
【００３０】
さらに、「前」および「後」との用語は、ジェットエンジン２によって加えられるスラストによって生じる航空機の前進運動の方向(この方向は矢印７によって大まかに示す)に関連付けて解釈すべきである。
【００３１】
図１にはエンジンマウント用パイロン４の一つの剛構造体１０のみを示す。このパイロン４の図示していないその他の要素、たとえばシステムの隔離および支持のためのものであって、その一方で空力フェアリングを支持する補助構造体は、従来技術において見出されかつ当業者には公知のものと同一あるいは類似の一般的な要素である。ゆえに、それに関しては詳しく説明しない。
【００３２】
同様に、アセンブリ１はジェットエンジン２によって生じるスラスト力に抗するための機構(図示せず)を具備するが、これは既存のものと同一あるいは類似しており、それゆえこれ以上は説明しない。
【００３３】
ジェットエンジン２は、環状ファンダクト１４を画定している大形ファンケーシング１２を前端部に有し、かつ後端付近には当該ジェットエンジンのコアを取り囲む小形中央ケーシング１６を有する。明らかに、ケーシング１２および１６は、従来公知の一般的な手法で互いに取り付けられている。
【００３４】
図１から分かるように、複数のエンジンマウント６ａ,６ｂ,８は二つの前部エンジンマウント６ａ,６ｂを具備してなり、このそれぞれは、横方向Ｙに沿って作用する力に抗するよう構成され、かつ垂直方向Ｚに互いにオフセットした状態で配置されている。
【００３５】
さらに正確に言うと、第１の前部エンジンマウン６ａは、第一に、パイロン４の剛構造体１０の前部に対して取り付けられており、そして第二に、ファンケーシング１２の環状周縁部１８に対して、好ましくは図１に概略的に示すようにこの部分１８の後部に取り付けられている。
【００３６】
さらに、上記第１の前部エンジンマウント６ａは、上記環状周縁部１８の最も高い部分に設けられており、必然的に、前後方向軸線５とＺ方向とで規定された仮想面(図示せず)はそれを通過する。この点に関して、今言及したばかりの仮想面は第１の前部エンジンマウント６ａに関して対称面であることに留意されたい。
【００３７】
後述するように、本発明に独特の特徴の一つは、第１のエンジンマウント６ａがジェットエンジンのＹ方向に沿って作用する力にのみ抗するよう構成され、Ｘ方向およびＺ方向に沿って作用する力には抗しないという事実に起因することに留意されたい。
【００３８】
さらに、第２の前部エンジンマウント６ｂは、第一に、パイロン４の剛構造体１０の前端部に対して、そして第二に、中央ケーシング１６に対して取り付けられており、この結果、それは第１の前部エンジンマウント６ａの下方に位置している。さらに、この第２の前部エンジンマウント６ｂは中央ケーシング１６の環状部分の最も高い位置に設けられている。この点に関して、図示する好ましい実施形態では、二つの前部エンジンマウント６ａ,６ｂはＺ方向にのみ互いにオフセットしており、Ｘ方向およびＹ方向にはオフセットしていないことに留意されたい。だが、本発明の範囲から逸脱することなく、そうしたオフセットを調整することは明らかに可能であろう。
【００３９】
さらに、第２のエンジンマウント６ｂのこの特有の配置によって、必然的に、上述した、前後方向軸線５とＺ方向とによって規定される仮想面はやはりそれを通過するが、この仮想面はまた、上記第２の前部エンジンマウント６ｂに関する対称面を形成している。
【００４０】
図１に矢印で概略的に示すように、第２の前部エンジンマウント６ｂは、ジェットエンジンのＹ方向に沿ってかつＺ方向に沿って作用する力にのみ抗するよう、だが、Ｘ方向に沿った力には抗しないよう設計されている。
【００４１】
複数のエンジンマウント６ａ,６ｂ,８はまた単一の後部エンジンマウント８を具備してなるが、このエンジンマウント８には、たとえば、アセンブリ１の抗スラスト力機構を取り付けることができる。この後部エンジンマウント８は、第一に、中央ケーシング１６の後部に対して、好ましくはこのケーシング１６の後端部にて取り付けられており、そして第二に、パイロン４の剛構造体１０に対して、好ましくはＸ方向で考えた概ねその中央部において取り付けられている。
【００４２】
第２の前部エンジンマウント６ｂと同様に、後部エンジンマウント８は、当業者には公知の何らかの形式に従って、たとえばシャックルおよびフィッティング(取り付け具)のアセンブリとして形成される。だが、この後部エンジンマウント自体は、Ｘ方向、Ｙ方向およびＺ方向の三つの方向に沿って作用する力に抗するよう設計される。
【００４３】
この結果、いま説明した複数のエンジンマウントを使って、Ｘ方向に沿った力には後部エンジンマウント８を用いて抵抗し、Ｙ方向に沿った力には三つのエンジンマウント６ａ,６ｂ,８を用いて抵抗し、そしてＺ方向に沿った力には第１の前部エンジンマウント６ａおよび後部エンジンマウント８を用いて抵抗することになる。
【００４４】
さらに、Ｘ方向周りに作用するモーメントには二つの前部エンジンマウント６ａ,６ｂを用いて協働で抵抗し、Ｙ方向周りに作用するモーメントには第２の前部エンジンマウント６ｂおよび後部エンジンマウント８を用いて協働で抵抗し、そしてＺ方向周りに作用するモーメントには三つのエンジンマウント６ａ,６ｂ,８を用いて協働で抵抗することになる。
【００４５】
やはり図１を参照すると、図示する好ましい実施形態では、エンジンマウント用パイロン４の剛構造体１０は、概ねＸ方向に沿って延在する中央ケーシング２０と、この中央枠体(中央ボックス)２０に対して固定された中央枠体２２に対して固定されてなると共に概ね垂直方向Ｚに沿って延在する前部枠体２２と、を具備してなることが分かる。
【００４６】
さらに正確に言うと、前部枠体２２の後方に配置された中央枠体２０は、好ましくはＹＺ平面内に配置された横断リブ２８によって互いに連結された下側桁材２４および上側桁材２６のアセンブリによって形成されている。桁材２４および２６は、ＸＹ平面に沿って配置されるか、あるいはＸＹ平面から僅かに傾いた平面に沿って配置されている。
【００４７】
下側桁材２４および上側桁材２６はそれぞれ単一の部材からなっていてもよく、あるいは互いに堅固に固定された複数の桁材セグメントのアセンブリからなっていてもよいことに留意されたい。
【００４８】
さらに、中央枠体２０は好ましくは、全体的にＸＹ平面内でそれぞれ延在する二つの側壁３０,３２によって各側面が横方向に閉塞されている。
【００４９】
前部枠体２２の上側部分は、中央枠体２０の前方延長部内に位置している。
【００５０】
すなわち、概ねＺ方向に沿って延在する前部枠体２２は前側桁材３４と後側桁材３６とを備えるが、これらはいずれもＹ方向と平行であり、かつ好ましくはＸＹ平面内に配置された横断リブ３８によって互いに連結されている。この点に関して、最も高い位置にある横断リブ３８は中央枠体２０の桁材２６の前端部からなり、この前端部はまた前部枠体２２の上部を閉塞する役割を果たしていることに留意されたい。同様に、２番目に高い位置にある横断リブ３８は、中央枠体２０の下側桁材２４の前端部からなっている。
【００５１】
好ましくは、前部枠体２２は、やはり中央枠体２０を横方向に閉塞している、二つの側壁３０,３２によって各側面において横方向に閉塞されている。
【００５２】
このようにして、全体として見た剛構造体１０と同様に、二つの側壁３０,３２のそれぞれは概ね「Ｌ」字形であり、しかもこのＬ字の基底部は概ねＺ方向に沿ったものとなっている。
【００５３】
パイロン４の剛構造体１０に関しては、第一に、第１の前部エンジンマウント６ａは好ましくはＹＺ平面内に配置された前側桁材３４の上側部分に対して取り付けられており、そして第二に、第２の前部エンジンマウント６ｂは好ましくは、前部枠体２２の下部を閉塞している最も下方の横断リブ３８に対して取り付けられていることに留意されたい。
【００５４】
Ｙ方向に沿った力にのみ抗することができる、第１の前部エンジンマウント６ａについて、ここで図２ないし図４を参照して説明する。
【００５５】
簡単な構造を有する前部エンジンマウント６ａは、第一に、いくつかの金属製部品のアセンブリから形成されるかもしれない第１のフィッティング(取り付け部材)４０を有するが、これは前部枠体２２の前側桁材３４に対して、さらに大まかに言うとパイロン４の剛構造体１０に対して取り付けられている。
【００５６】
第１のフィッティング４０は、ジェットエンジン２の前後方向軸線５を通る垂直仮想平面に関して対称であり、しかも特に、当該平面の両側に１対ずつ配置された状態で、２対のヘッド４４を具備してなる。
【００５７】
ヘッド４４の各対は、上側ヘッド４２ａと、Ｚ方向にこの上側ヘッドから離れた位置に存在する下側ヘッド４２ｂとを具備してなり、これら二つのヘッド４２ａ,４２ｂのそれぞれは二重にされかつＸＹ平面内に配置されるであろう。さらに、上側ヘッド４２ａはＺ方向に沿って配置された貫通孔４４ａを有し、同様に、下側ヘッド４２ｂは、孔４４ａと向き合う、やはりＺ方向に沿って配置された貫通孔４４ｂを有する。
【００５８】
図４から分かるようにＸＹ平面内で延在する、好ましくは「Ｖ」字形の中間フィッティング(取り付け部材)４６は、それぞれＺ方向に沿って配置された二つの回転ピン４８によって、第１のフィッティング４０に対して連結されている。
【００５９】
さらに正確に言うと、Ｖ字形中間フィッティング４６の二つの端部のそれぞれは、二つの回転ピン４８のうちの一方を用いて、２対のヘッド４４のうちの一方に取り付けられ、それゆえ回転ピンは上記仮想面に関して対称となるよう配置される必要がある。この点に関して、この仮想平面はまた、中間フィッティング４６に関しても対称面をなしていることに留意されたい。
【００６０】
ゆえに、回転ピン４８は、２対のヘッド４４のそれぞれにおいて、順に、上側ヘッド４２ａの孔４４ａ、中間フィッティング４６の関係する端部に形成された貫通孔５０、そして最後に下側ヘッド４２ｂの孔４４ｂを貫通する。さらに上記貫通孔５０は、図３から分かるように、回転ピン４８のスイベル５２と協働するよう構成されている。
【００６１】
このようにして、上記二つの回転ピン４８を設けたことによって、Ｚ方向に沿って配置されかつ上記仮想垂直面に関して対称に配置された二つの回転式接続部を得ることができることが分かる。
【００６２】
前部エンジンマウント６ａは、Ｘ方向に沿って配置されると共に、中間フィッティング４６を形成するＶ字の二つのブランチ間の接合部において、この中間フィッティング４６に対して取り付けられたピン５６を具備してなり、このピン５６は仮想垂直面と直径に沿って交差している。それゆえ、ピン５６および中間フィッティング４６から形成されたアセンブリは「Ｙ」字形を有し、その下側ブランチはＸ方向に沿って前方に向けられている。
【００６３】
ピン５６は、Ｘ方向に間隙が存在する状態で、ジェットエンジン２に対して取り付けられた第２のフィッティング(取り付け部材)５８に、さらに正確に言うとファンケーシング１２の環状周縁部１８の上側部分に取り付けられている。
【００６４】
すなわち、ピン５６と第２のフィッティング５８との間に形成された機械的接続部は「モノボール」型のものであり、言い換えれば、それは、Ｙ方向およびＺ方向に沿ってのみ作用する力に抗し、その一方で、Ｘ方向には間隙をもたらす。この結果、ピン５６は、このピンが貫通すると共に、第２のそしておそらくは二重の、ＹＺ平面内に配置されたフィッティング５８のヘッド６０に形成された孔(図示せず)に対して、Ｘ方向に沿って極めて制限された様式でスライド可能となる。
【００６５】
Ｘ方向に沿った間隙を有するモノボール型接続部と、Ｚ方向に沿って配置された二つのボールジョイントとの組み合わせによって、ジェットエンジン２のＹ方向に沿って作用する力にのみ抗するための、他のエンジンマウントと組み合わされた第１の前部エンジンマウント６ａが得られる。
【００６６】
明らかに、当業者であれば、単に非限定的実施例として今説明したエンジンアセンブリ１に対して、さまざまな変更を加えることができる。この点に関して、エンジンアセンブリ１は、航空機の翼の下に吊り下げ可能であるような形態として示されているが、このアセンブリ１はまた、翼の上に搭載可能であるような別の形態とすることもできる。
【００６７】
さらに、エンジンマウント６ｂ,８に関して他の構造を採用することも当然ながら可能である。例証的実施例として、第２の前部エンジンマウント６ｂは、Ｘ方向、Ｙ方向およびＺ方向の三つの方向に沿って作用する力に抗するよう構成できる。この場合、後部エンジンマウント８は、ジェットエンジンのＹ方向およびＺ方向に沿って作用する力にのみ抗し、Ｘ方向に沿って作用する力には抗しないよう構成されるであろう。
【図面の簡単な説明】
【００６８】
【図１】本発明の好ましい実施形態による航空機用エンジンアセンブリの斜視図である。
【図２】図１のエンジンアセンブリの第１の前部エンジンマウントの拡大斜視図であり、このエンジンマウントはジェットエンジンのファンケーシングとエンジンマウント用パイロンの剛構造体との間に介在させられている。
【図３】図２に示す第１の前部エンジンマウントの側面図である。
【図４】図２および図３に示す第１の前部エンジンマウントの平面図である。
【符号の説明】
【００６９】
１  エンジンアセンブリ
２  ジェットエンジン
４  エンジンマウント用パイロン
６ａ,６ｂ,８  エンジンマウント
１０  剛構造体
１２  大形ファンケーシング
１４  環状ファンダクト
１６  小形中央ケーシング
１８  環状周縁部
２０  中央枠体
２２  前部枠体
２４  下側桁材
２６  上側桁材
２８  横断リブ
３０,３２  側壁
３４  前側桁材
３６  後側桁材
３８  横断リブ
４０  第１のフィッティング
４２ａ  上側ヘッド
４２ｂ  下側ヘッド
４４  ヘッド
４４ａ,４４ｂ  貫通孔
４６  中間フィッティング
４８  回転ピン
５０  貫通孔
５２  スイベル
５６  ピン
５８  第２のフィッティング
６０  ヘッド
【図１】
2008509318.tif 000003
【図２】
2008509318.tif 000004
【図３】
2008509318.tif 000005
【図４】
2008509318.tif 000006
【国際調査報告】
2008509318.tif 000007
2008509318.tif 000008
2008509318.tif 000009
2008509318.tif 000010